【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
光源光を放射するように構成された光源と、
前記光源光の経路内に配置された予備変調器であって、画像データに従って前記光源光に粗い変調を行って、予備変調光を予備変調器出力部において放射するように構成された予備変調画像化システムを含み、前記光源光を前記予備変調画像化システム内に屈折するように配向され、かつ前記予備変調画像化システムから受け取った前記予備変調光を前記予備変調器出力部に反射するように配向された第１の内部全反射プリズムシステムをさらに含む、予備変調器と、
前記予備変調光の経路内に配置され、前記予備変調光をデフォーカスしてデフォーカス光を出力するように構成されたリレー光学系と、
前記デフォーカス光の経路内に配置された主変調器であって、前記画像データに従って、前記デフォーカス光を用いて画像を生成するように構成された主変調画像化システムを含み、前記デフォーカス光を前記主変調画像化システムに反射するように配向され、かつ前記主変調画像化システムから受け取った前記画像を主変調器出力部に屈折するように配向された第２の内部全反射プリズムシステムをさらに含む、主変調器と、
前記主変調器における非点収差及びコマ収差を減らすために、前記リレー光学系と前記主変調器との間に配置された補償板と、
を備える画像化装置。
【請求項２】
前記リレー光学系は、前記予備変調光のピクセルを前記主変調器における略ガウス関数形状のスポットに変換するように構成される、請求項１に記載の装置。
【請求項３】
前記光源と前記予備変調器との間に配置されたインテグレータをさらに備え、前記インテグレータは、２つのインテグレーティングロッドと、前記２つのインテグレーティングロッドの間に設けられたディフューザとを含む、請求項１に記載の装置。
【請求項４】
前記予備変調器及び前記主変調器に結合されたプロセッサをさらに備え、前記プロセッサは、前記画像データに従って前記予備変調器及び前記主変調器を制御するように構成される、請求項１に記載の装置。
【請求項５】
前記プロセッサは、前記画像データに対してハーフトーン化を行い、ハーフトーン画像を前記予備変調器に供給する、請求項４に記載の装置。
【請求項６】
前記光源は、複数のカラー成分のレーザ光源を備え、前記画像化装置は、前記主変調器出力部から光を受け取るように配置された投影光学系をさらに備える、請求項１に記載の装置。
【請求項７】
光源光を放射するように構成された光源と、
各々が内部全反射プリズムシステムに結合されたマルチチップ画像化システムを含む２つの光変調器であって、前記内部全反射プリズムシステムが光入射面及びオン状態面を有する、２つの光変調器と、
前記２つの光変調器のうちの予備変調器と前記２つの光変調器のうちの主変調器との間に配置され、前記予備変調器から受け取った光をデフォーカスして、デフォーカス光を前記主変調器に供給するように構成されたリレー光学系と、
前記主変調器における非点収差及びコマ収差を減らすために、前記リレー光学系と該主変調器との間に配置された補償板と、
を備え、
前記主変調器は、前記リレー光学系からのデフォーカス光を、前記内部全反射プリズムシステムの前記光入射面において受け取るように配向され、
前記予備変調器は、前記内部全反射プリズムシステムの前記オン状態面において前記光源光を受け取るように配向され、かつ予備変調光を、前記内部全反射プリズムシステムの前記光入射面を経由して前記リレー光学系に出力するように配向される、
画像化装置。
【請求項８】
前記リレー光学系は、前記予備変調光のピクセルを前記主変調器における略ガウス関数形状のスポットに変換するように構成される、請求項７に記載の装置。
【請求項９】
前記光源と前記予備変調器との間に配置されたインテグレータをさらに備え、前記インテグレータは、２つのインテグレーティングロッドと、前記２つのインテグレーティングロッドの間に設けられたディフューザとを含む、請求項７に記載の装置。
【請求項１０】
前記予備変調器及び前記主変調器に結合されたプロセッサをさらに備え、前記プロセッサは、画像データに従って前記予備変調器及び前記主変調器を制御するように構成される、請求項７に記載の装置。
【請求項１１】
前記プロセッサは、前記画像データに対してハーフトーン化を行い、ハーフトーン画像を前記予備変調器に供給する、請求項１０に記載の装置。
【請求項１２】
前記光源は複数のカラー成分のレーザ光源を備え、前記画像化装置は、前記主変調器から光を受け取るように配置された投影光学系をさらに備える、請求項７に記載の装置。
【請求項１３】
光源光を放射するように構成された光源と、
前記光源光の経路内に配置された予備変調器であって、カラー成分スプリッタ・コンバイナに結合された３つのデジタルマイクロミラーデバイスと、内部全反射プリズムシステムとを含み、画像データに従って前記光源光に粗い変調を行って、予備変調光を放射するように構成された予備変調器と、
前記予備変調光の経路内に配置され、前記予備変調光をデフォーカスしてデフォーカス光を出力するように構成されたリレー光学系と、
前記デフォーカス光の経路内に配置され、カラー成分スプリッタ・コンバイナに結合された３つのデジタルマイクロミラーデバイスと、内部全反射プリズムシステムとを含み、前記画像データに従って、前記デフォーカス光を用いて画像を生成するように構成された主変調器と、
前記主変調器における非点収差及びコマ収差を減らすために、前記リレー光学系と前記主変調器との間に配置された補償板と、
を備える画像化装置。
【請求項１４】
前記リレー光学系は、前記予備変調光のピクセルを前記主変調器におけるガウス関数形状のスポットに変換するように構成される、請求項１３に記載の装置。
【請求項１５】
前記光源と前記予備変調器との間に配置されたインテグレータをさらに備え、前記インテグレータは、２つのインテグレーティングロッドと、前記２つのインテグレーティングロッドの間に設けられたディフューザとを含む、請求項１３に記載の装置。
【請求項１６】
前記予備変調器及び前記主変調器に結合されたプロセッサをさらに備え、前記プロセッサは、前記画像データに従って前記予備変調器及び前記主変調器を制御するように構成される、請求項１３に記載の装置。
【請求項１７】
前記プロセッサは、前記画像データに対してハーフトーン化を行い、ハーフトーン画像を前記予備変調器に供給する、請求項１６に記載の装置。
【請求項１８】
前記光源は、複数のカラー成分のレーザ光源を備え、前記画像化装置は、前記主変調器から光を受け取るように配置された投影光学系をさらに備える、請求項１３に記載の装置。
【請求項１９】
光源光を放射するように構成された光源と、
前記光源光の経路内に配置された予備変調器であって、画像データに従って前記光源光に粗い変調を行って、予備変調光を予備変調器出力部において放射するように構成された予備変調画像化システムを含み、前記光源光を前記予備変調画像化システム内に屈折するように配向され、かつ前記予備変調画像化システムから受け取った前記予備変調光を前記予備変調器出力部に反射するように配向された第１の内部全反射プリズムシステムをさらに含む、予備変調器と、
前記予備変調光の経路内に配置され、前記予備変調光をデフォーカスしてデフォーカス光を出力するように構成されたリレー光学系と、
前記デフォーカス光の経路内に配置された主変調器であって、前記画像データに従って、前記デフォーカス光を用いて画像を生成するように構成された主変調画像化システムを含み、前記デフォーカス光を前記主変調画像化システムに反射するように配向され、かつ前記主変調画像化システムから受け取った前記画像を主変調器出力部に屈折するように配向された第２の内部全反射プリズムシステムをさらに含む、主変調器と、
前記光源と前記予備変調器との間に配置されたインテグレータと、を備え、
前記インテグレータは、２つのインテグレーティングロッドと、前記２つのインテグレーティングロッドの間に設けられたディフューザとを含む、
画像化装置。
【請求項２０】
前記リレー光学系は、前記予備変調光のピクセルを前記主変調器における略ガウス関数形状のスポットに変換するように構成される、請求項１９に記載の装置。
【請求項２１】
前記予備変調器及び前記主変調器に結合されたプロセッサをさらに備え、前記プロセッサは、前記画像データに従って前記予備変調器及び前記主変調器を制御するように構成される、請求項１９に記載の装置。
【請求項２２】
前記プロセッサは、前記画像データに対してハーフトーン化を行い、ハーフトーン画像を前記予備変調器に供給する、請求項２１に記載の装置。
【請求項２３】
前記光源は、複数のカラー成分のレーザ光源を備え、前記画像化装置は、前記主変調器出力部から光を受け取るように配置された投影光学系をさらに備える、請求項１９に記載の装置。
【請求項２４】
前記インテグレータは、前記光源光を空間的及び角度的に均一にするように構成される、請求項１９に記載の装置。
【請求項２５】
前記インテグレータは、前記予備変調器の画像化装置のアスペクト比と一致するアスペクト比で集積光源光を出力するように構成される、請求項１９に記載の装置。
【請求項２６】
光源光を放射するように構成された光源と、
各々が内部全反射プリズムシステムに結合されたマルチチップ画像化システムを含む２つの光変調器であって、前記内部全反射プリズムシステムが光入射面及びオン状態面を有する、２つの光変調器と、
前記２つの光変調器のうちの予備変調器と前記２つの光変調器のうちの主変調器との間に配置され、前記予備変調器から受け取った光をデフォーカスして、デフォーカス光を前記主変調器に供給するように構成されたリレー光学系と、
前記光源と前記予備変調器との間に配置されたインテグレータであって、前記インテグレータは、２つのインテグレーティングロッドと、前記２つのインテグレーティングロッドの間に設けられたディフューザとを含む、インテグレータと、
を備え、
前記主変調器は、前記リレー光学系からのデフォーカス光を、前記内部全反射プリズムシステムの前記光入射面において受け取るように配向され、
前記予備変調器は、前記内部全反射プリズムシステムの前記オン状態面において前記光源光を受け取るように配向され、かつ予備変調光を、前記内部全反射プリズムシステムの前記光入射面を経由して前記リレー光学系に出力するように配向される、
画像化装置。
【請求項２７】
前記リレー光学系は、前記予備変調光のピクセルを前記主変調器における略ガウス関数形状のスポットに変換するように構成される、請求項２６に記載の装置。
【請求項２８】
前記予備変調器及び前記主変調器に結合されたプロセッサをさらに備え、前記プロセッサは、画像データに従って前記予備変調器及び前記主変調器を制御するように構成される、請求項２６に記載の装置。
【請求項２９】
前記プロセッサは、前記画像データに対してハーフトーン化を行い、ハーフトーン画像を前記予備変調器に供給する、請求項２８に記載の装置。
【請求項３０】
前記光源は複数のカラー成分のレーザ光源を備え、前記画像化装置は、前記主変調器から光を受け取るように配置された投影光学系をさらに備える、請求項２６に記載の装置。
【請求項３１】
前記インテグレータは、前記光源光を空間的及び角度的に均一にするように構成される、請求項２６に記載の装置。
【請求項３２】
前記インテグレータは、前記予備変調器の画像化装置のアスペクト比と一致するアスペクト比で集積光源光を出力するように構成される、請求項２６に記載の装置。
【請求項３３】
光源光を放射するように構成された光源と、
前記光源光の経路内に配置された予備変調器であって、画像データに従って前記光源光に粗い変調を行って、予備変調光を予備変調器出力部において放射するように構成された予備変調画像化システムを含み、前記光源光を前記予備変調画像化システム内に屈折するように配向され、かつ前記予備変調画像化システムから受け取った前記予備変調光を前記予備変調器出力部に反射するように配向された第１の内部全反射プリズムシステムをさらに含む、予備変調器と、
前記予備変調光の経路内に配置され、前記予備変調光をデフォーカスしてデフォーカス光を出力するように構成されたリレー光学系と、
前記デフォーカス光の経路内に配置された主変調器であって、前記画像データに従って、前記デフォーカス光を用いて画像を生成するように構成された主変調画像化システムを含み、前記デフォーカス光を前記主変調画像化システムに反射するように配向され、かつ前記主変調画像化システムから受け取った前記画像を主変調器出力部に屈折するように配向された第２の内部全反射プリズムシステムをさらに含む、主変調器と、
前記光源と前記予備変調器との間に配置されたオーバーフィル光学系であって、前記光源により前記予備変調器をオーバーフィルするように構成され、オーバーフィルの形状及び量の一方又は両方の正確な定義を可能にするために調節可能なズーム及び調節可能な位置合せの一方又は両方で構成される、オーバーフィル光学系と、
を備える画像化装置。
【請求項３４】
前記リレー光学系は、前記予備変調光のピクセルを前記主変調器におけるガウス関数形状のスポットに変換するように構成される、請求項３３に記載の装置。
【請求項３５】
前記予備変調器及び前記主変調器に結合されたプロセッサをさらに備え、前記プロセッサは、前記画像データに従って前記予備変調器及び前記主変調器を制御するように構成される、請求項３３に記載の装置。
【請求項３６】
前記プロセッサは、前記画像データに対してハーフトーン化を行い、ハーフトーン画像を前記予備変調器に供給する、請求項３５に記載の装置。
【請求項３７】
前記光源は、複数のカラー成分のレーザ光源を備え、前記画像化装置は、前記主変調器出力部から光を受け取るように配置された投影光学系をさらに備える、請求項３３に記載の装置。
【請求項３８】
光源光を放射するように構成された光源と、
各々が内部全反射プリズムシステムに結合されたマルチチップ画像化システムを含む２つの光変調器であって、前記内部全反射プリズムシステムが光入射面及びオン状態面を有する、２つの光変調器と、
前記２つの光変調器のうちの予備変調器と前記２つの光変調器のうちの主変調器との間に配置され、前記予備変調器から受け取った光をデフォーカスして、デフォーカス光を前記主変調器に供給するように構成されたリレー光学系と、
前記光源と前記予備変調器との間に配置されたオーバーフィル光学系であって、前記光源により前記予備変調器をオーバーフィルするように構成され、オーバーフィルの形状及び量の一方又は両方の正確な定義を可能にするために調節可能なズーム及び調節可能な位置合せの一方又は両方で構成される、オーバーフィル光学系と、
を備え、
前記主変調器は、前記リレー光学系からのデフォーカス光を、前記内部全反射プリズムシステムの前記光入射面において受け取るように配向され、
前記予備変調器は、前記内部全反射プリズムシステムの前記オン状態面において前記光源光を受け取るように配向され、かつ予備変調光を、前記内部全反射プリズムシステムの前記光入射面を経由して前記リレー光学系に出力するように配向される、
画像化装置。
【請求項３９】
前記リレー光学系は、前記予備変調光のピクセルを前記主変調器におけるガウス関数形状のスポットに変換するように構成される、請求項３８に記載の装置。
【請求項４０】
前記予備変調器及び前記主変調器に結合されたプロセッサをさらに備え、前記プロセッサは、画像データに従って前記予備変調器及び前記主変調器を制御するように構成される、請求項３８に記載の装置。
【請求項４１】
前記プロセッサは、前記画像データに対してハーフトーン化を行い、ハーフトーン画像を前記予備変調器に供給する、請求項４０に記載の装置。
【請求項４２】
前記光源は複数のカラー成分のレーザ光源を備え、前記画像化装置は、前記主変調器から光を受け取るように配置された投影光学系をさらに備える、請求項３８に記載の装置。